(57)【特許請求の範囲】
【請求項１】
紙幣が収納される収納部と、
前記収納部に収納された紙幣が投出される出金部と、
前記収納部に収納される紙幣の表裏、天地および左右のうち一つの方向を揃えるための収納紙幣揃え部と、
前記収納部から前記出金部へ送られる、前記一つの方向が揃えられた紙幣の前記一つの方向以外の方向を揃えるための出金紙幣揃え部と、
紙幣の方向を識別する識別部と、
前記識別部による識別結果に基づいて前記収納紙幣揃え部および前記出金紙幣揃え部の動作を制御する制御部と、を備え、
前記制御部は、
表裏および天地が揃えられた紙幣が前記出金部においてとる複数の方向パターンの中から何れかの方向パターンが選択されると、選択された方向パターンで表裏および天地が揃えられるように、前記収納部への入金時に、紙幣の方向を前記収納紙幣揃え部に前記一つの方向に揃えさせて、前記一つの方向が揃えられた紙幣を前記収納部に収納し、前記収納部からの出金時に、紙幣の方向を前記出金紙幣揃え部に前記一つの方向以外の方向に揃えさせて、前記一つの方向以外の方向が揃えられた紙幣を前記出金部に投出する、
ことを特徴とする紙幣処理装置。
【請求項２】
前記制御部は、前記収納部に紙幣があるときに、方向パターンの選択を受け付けない、
ことを特徴とする請求項１に記載の紙幣処理装置。
【請求項３】
前記制御部は、方向パターンが新たに選択された場合、前記収納部から取り出した紙幣を、その表裏、天地および左右のうち一つの方向を新たに選択された方向パターンに対応する方向で揃えて前記収納部へ戻す方向変更処理を行う、
ことを特徴とする請求項１に記載の紙幣処理装置。
【請求項４】
前記制御部は、前記収納部に紙幣があるときに新たな方向パターンが選択された場合、前記収納部内の紙幣の方向が、前記出金紙幣揃え部で前記一つの方向以外の方向を揃えることにより、表裏および天地が揃えられた紙幣を選択された新たな方向パターンで前記出金部に投出できる方向であるときに、その新たな方向パターンの選択を受け付ける、
ことを特徴とする請求項１に記載の紙幣処理装置。
【請求項５】
紙幣が収納される収納部と、
前記収納部に収納された紙幣が投出される出金部と、
前記出金部に投出される紙幣の表裏および天地を揃えるための紙幣揃え部と、
紙幣の方向を識別する識別部と、
前記識別部による識別結果に基づいて前記紙幣揃え部の動作を制御する制御部と、を備え、
前記制御部は、
表裏および天地が揃えられた紙幣が前記出金部においてとる複数の方向パターンの中から何れかの方向パターンが選択されると、選択された方向パターンで表裏および天地が揃えられるように、前記収納部への入金時に、前記紙幣揃え部に紙幣を揃えさせて前記収納部に収納するとともに、
前記収納部に紙幣があるときに、方向パターンの選択を受け付けない、
ことを特徴とする紙幣処理装置。
【発明の詳細な説明】
【技術分野】
【０００１】
本発明は、紙幣の入出金等を行う紙幣処理装置に関する。
【背景技術】
【０００２】
紙幣の入出金等を行う紙幣処理装置では、紙幣処理装置から出金された各紙幣の表裏および天地が揃っていると、見栄えが良い上に取扱いやすい。特許文献１には、紙幣処理装置の一例である紙幣取扱機構において、入出金口に投入された紙幣を、２つの反転機構を経由または迂回させることにより、表裏および天地を揃えて内部金庫に収納するようにした構成が開示されている。
【０００３】
なお、紙幣は、表裏および天地の向きが揃えば、必然的に左右の向きも揃う。よって、表裏および天地の揃った紙幣とは、表裏、左右および天地の揃った紙幣ということになる。
【先行技術文献】
【特許文献】
【０００４】
【特許文献１】特開平０９−２７００４５号公報
【発明の概要】
【発明が解決しようとする課題】
【０００５】
表裏および天地が揃えられた紙幣が入出金口に出金される場合の入出金口内での紙幣の方向として、通常、４つの方向パターンが考えられる。即ち、紙幣を上方からみたときに、紙幣に描かれた肖像の頭が向く天方向が入出金口内の奥側であって且つ表面が上方向を向く方向パターン、天方向が入出金口内の奥側であって且つ裏面が上方向を向く方向パターン、天方向と反対の地方向が入出金口内の奥側であって且つ表面が上方向を向く方向パターン、地方向が入出金口内の奥側であって且つ裏面が上方向を向く方向パターンである。
【０００６】
上記紙幣取扱機構は、表裏および天地が揃えられた紙幣が予め決められた方向で入出金口に出金される構成であり、テラー等の紙幣処理装置を扱うオペレータが紙幣を入出金口から取り出した後に取り扱いやすいように、使用状況等に応じた方向パターンの選択を行うことができない。
【０００７】
かかる課題に鑑み、本発明は、表裏および天地が揃えられた紙幣が出金される際にとる方向を複数の方向パターンの中から選択でき、使い勝手の良い紙幣処理装置を提供することを目的とする。
【課題を解決するための手段】
【０００８】
本発明に係る紙幣処理装置は、紙幣が収納される収納部と、前記収納部に収納された紙幣が投出される出金部と、前記出金部に投出される紙幣の表裏および天地を揃えるための紙幣揃え部と、紙幣の方向を識別する識別部と、前記識別部による識別結果に基づいて前記紙幣揃え部の動作を制御する制御部と、を備える。ここで、前記制御部は、前記出金部において紙幣がとる複数の方向パターンの中から何れかの方向パターンが選択されると、選択された方向パターンで表裏および天地が揃えられるように前記紙幣揃え部に紙幣を揃えさせる。
【０００９】
上記の構成によれば、出金部に投出された、表裏および天地が揃えられた紙幣がとる方向を複数の方向パターンの中から選択できるので、紙幣処理装置の使い勝手を向上させることができる。
【００１０】
本態様に係る紙幣処理装置において、前記紙幣揃え部は、前記収納部に収納される紙幣の表裏、天地および左右のうち一つの方向を揃えるための収納紙幣揃え部と、前記収納部から前記出金部へ送られる、前記一つの方向が揃えられた紙幣の前記一つの方向以外の方向を揃えるための出金紙幣揃え部と、を含むような構成とされ得る。
【００１１】
上記の構成によれば、表裏および天地を揃えるために要する時間を収納部への入金時と収納部からの出金時とに分散させることができ、収納部への入金時または出金時に偏った時間の増加を抑制できる。
【００１２】
上記の構成とされた場合、さらに、前記制御部は、前記収納部に紙幣があるときに、方向パターンの選択を受け付けないような構成とされ得る。
【００１３】
このような構成すれば、新たな方向パターンに切り替えられることにより、当該方向パターンで紙幣の表裏および天地が揃えられなくなる事態が生じることを防止できる。
【００１４】
あるいは、上記の構成とされた場合、前記制御部は、方向パターンが新たに選択されると、前記収納部から取り出した紙幣を、その表裏、天地および左右のうち一つの方向を新たに選択された方向パターンに対応する方向で揃えて前記収納部へ戻す方向変更処理を行うような構成とされ得る。
【００１５】
このような構成とすれば、新たな方向パターンに切り替えられることにより、当該方向パターンで紙幣の表裏および天地が揃えられなくなる事態が生じることを防止できる。しかも、収納部内に紙幣がない場合に制限されることなく、新たな方向パターンへの切り換えを行うことができる。
【発明の効果】
【００１６】
本発明によれば、表裏および天地が揃えられた紙幣が出金される際にとる方向を複数の方向パターンの中から選択でき、使い勝手の良い紙幣処理装置を提供することができる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１は、実施形態に係る、貨幣入出金機の構成を示す概略図である。
【図２】図２（ａ）は、実施形態に係る、搬送部を流れる紙幣の状態を示す図であり、図２（ｂ）は、実施形態に係る、第１反転部による紙幣の表裏反転について説明するための図であり、図２（ｃ）は、実施形態に係る、第２反転部による紙幣の表裏反転について説明するための図である。
【図３】図３は、実施形態に係る、貨幣入出金機の主たる構成を示すブロック図である。
【図４】図４（ａ）ないし（ｄ）は、それぞれ、実施形態に係る、天表揃えモード、地表揃えモード、天裏揃えモードおよび地裏揃えモードにおいて出金部に投出される紙幣の方向パターンを示す図である。
【図５】図５（ａ）は、実施形態に係る、モード設定ボタンを含むメニュー画面の一例を示す図であり、図５（ｂ）は、実施形態に係る、モード設定ボタンを含まないメニュー画面の一例を示す図であり、図５（ｃ）は、実施形態に係る、モード設定画面の一例を示す図である。
【図６】図６は、実施形態に係る、揃えモード設定処理の制御動作を示すフローチャートである。
【図７】図７は、実施形態に係る、対応テーブルの構成を示す図である。
【図８】図８は、実施形態に係る、入金処理の制御動作を示すフローチャートである。
【図９】図９（ａ）は、実施形態に係る、入金処理における貨幣入出金機内での第１紙幣および第２紙幣の流れを示す図であり、図９（ｂ）は、実施形態に係る、入金処理における貨幣入出金機内での第３紙幣および第４紙幣の流れを示す図である。
【図１０】図１０（ａ）は、実施形態に係る、出金処理の制御動作を示すフローチャートであり、図１０（ｂ）は、実施形態に係る、戻し処理の制御動作を示すフローチャートである。
【図１１】図１１（ａ）は、実施形態に係る、出金処理における貨幣入出金機内での第３紙幣の流れを示す図であり、図１１（ｂ）は、実施形態に係る、出金処理における貨幣入出金機内での第４紙幣の流れを示す図であり、図１１（ｃ）は、実施形態に係る、出金処理における貨幣入出金機内での第１紙幣および第２紙幣の流れを示す図であり、図１１（ｄ）は、実施形態に係る、戻し処理における貨幣入出金機内での第１紙幣および第２紙幣の流れを示す図である。
【図１２】図１２は、実施形態に係る、天表揃えモードに設定されている場合に入金処理および出金処理が行われたときの紙幣の状態の遷移を示す図である。
【図１３】図１３は、実施形態に係る、地表揃えモードに設定されている場合に入金処理および出金処理が行われたときの紙幣の状態の遷移を示す図である。
【図１４】図１４は、実施形態に係る、天裏揃えモードに設定されている場合に入金処理および出金処理が行われたときの紙幣の状態の遷移を示す図である。
【図１５】図１５は、実施形態に係る、地裏揃えモードに設定されている場合に入金処理および出金処理が行われたときの紙幣の状態の遷移を示す図である。
【図１６】図１６は、実施形態に係る、計数整理処理の制御動作を示すフローチャートである。
【図１７】図１７は、実施形態に係る、計数整理処理の制御動作を示すフローチャートである。
【図１８】図１８（ａ）は、実施形態に係る、計数整理処理における貨幣入出金機内での第１紙幣および第２紙幣の第１カセットおよび第２カセットに収納されるまで流れを示す図であり、図１８（ｂ）は、実施形態に係る、計数整理処理における貨幣入出金機内での第３紙幣および第４紙幣の第１カセットおよび第２カセットに収納されるまで流れを示す図である。図１８（ｃ）は、実施形態に係る、計数整理処理における貨幣入出金機内での第４紙幣の出金部に投出されるまで流れを示す図であり、図１８（ｄ）は、実施形態に係る、計数整理処理における貨幣入出金機内での第３紙幣の出金部に投出されるまで流れを示す図である。
【図１９】図１９は、変更例１に係る、揃えモード設定処理の制御動作を示すフローチャートである。
【図２０】図２０は、変更例１に係る、揃えモード設定処理に含まれる方向変更処理の制御動作を示すフローチャートである。
【図２１】図２１（ａ）は、変更例１に係る、方向変更処理における貨幣入出金機内でのスタッカから第１カセットへの紙幣の流れを示す図であり、図２１（ｂ）は、変更例１に係る、方向変更処理における貨幣入出金機内での第１カセットからスタッカへの紙幣の流れを示す図である。
【発明を実施するための形態】
【００１９】
以下、本発明の実施形態について、図面を参照して説明する。
【００２０】
以下の実施形態において、貨幣入出金機１が特許請求の範囲に記載の「紙幣処理装置」に対応する。また、第１紙幣揃え部１６０が特許請求の範囲に記載の「出金紙幣揃え部」に対応する。さらに、第２紙幣揃え部１７０が特許請求の範囲に記載の「収納紙幣揃え部」に対応する。さらに、カセット１８０（第１カセット１８１、第２カセット１８２）およびスタッカ２００が特許請求の範囲に記載の「収納部」に対応する。
【００２１】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２２】
本発明の紙幣処理装置の一実施形態である貨幣入出金機１について説明する。貨幣入出金機１は、銀行等の窓口カウンタの内側に設置され、貨幣の入出金業務を行うテラーにより使用される。
＜貨幣入出金機の構成＞
図１は、本実施形態に係る、貨幣入出金機１の構成を示す概略図である。図２（ａ）は、本実施形態に係る、搬送部１４０を流れる紙幣の状態を示す図であり、図２（ｂ）は、本実施形態に係る、第１反転部１６１による紙幣の表裏反転について説明するための図であり、図２（ｃ）は、本実施形態に係る、第２反転部１７１による紙幣の表裏反転について説明するための図である。
【００２３】
貨幣入出金機１は、外郭を構成する筐体１０内に、紙幣入出金ユニット１１と硬貨入出金ユニット１２とを備える。紙幣入出金ユニット１１は、筐体１０内の下側に設けられ、紙幣の入金処理、出金処理等を行う。硬貨入出金ユニット１２は、筐体１０内の上側に設けられ、硬貨の入金処理、出金処理等を行う。
【００２４】
紙幣入出金ユニット１１は、入金部１１０と、出金部１２０と、リジェクト部１３０と、搬送部１４０と、識別部１５０と、第１紙幣揃え部１６０と、第２紙幣揃え部１７０と、２つのカセット１８０と、カセット１８０用の２つの一時保留部１９０と、３つのスタッカ２００と、スタッカ２００用の３つ一時保留部２１０と、を備える。
【００２５】
入金部１１０、出金部１２０およびリジェクト部１３０は、筐体１０内の上部の正面近傍に設けられる。筐体１０の正面には、シャッターで開閉される入金口（図示せず）および出金口（図示せず）が設けられる。入金部１１０は入金口に繋がり、入金口を通じて入金部１１０にバラ紙幣が投入される。出金部１２０およびリジェクト部１３０は出金口に繋がり、出金口を通じて出金部１２０およびリジェクト部１３０からバラ紙幣が取り出される。
【００２６】
入金部１１０は、入金繰出機構１１１を備える。入金繰出機構１１１は、入金部１１０に投入されたバラ紙幣を一枚ずつ搬送部１４０へ繰り出す。出金部１２０は、主に、スタッカ２００から繰り出された紙幣を受け取る。リジェクト部１３０は、主に、識別部１５０により属性（真偽、金種、天地表裏等）が識別できず、正常な紙幣と見做されない紙幣を受け取る。
【００２７】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、筐体１０内を前後方向に延びるように逆Ｌ字のループ状に形成され、図１において、時計回り方向（実線矢印）と反時計回り方向（破線矢印）に紙幣を搬送することが可能である。
【００２８】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、カセット１８０および一時保留部１９０とメイン搬送路１４１との間に設けられる。スタッカ搬送路１４６は、スタッカ２００および一時保留部２１０とメイン搬送路１４１との間に設けられる。
【００２９】
長方形である紙幣は、その短手方向（天地方向）が、搬送方向を向くようにして搬送部１４０により搬送される。搬送部１４０を流れる紙幣は、図２（ａ）に示すように、４通りの方向パターンをとり得る。本実施形態では、紙幣を入金部１１０からスタッカ２００へ収納する入金時の搬送部１４０による搬送方向を「順搬送方向」と定義し、紙幣をスタッカ２００から出金部１２０へ投出する出金時の搬送部１４０による搬送方向を「逆搬送方向」と定義する。そして、搬送部１４０を流れる紙幣を上方からみたときに、紙幣に描かれた肖像の頭が向く天方向が順搬送方向を向き且つ表面が上方向を向く方向パターンの紙幣を「天表紙幣」と定義し、天方向が順搬送方向を向き且つ裏面が上方向を向く方向パターンの紙幣を「天裏紙幣」と定義し、天方向と反対の地方向が順搬送方向を向き且つ表面が上方向を向く方向パターンの紙幣を「地表紙幣」と定義し、地方向が順搬送方向を向き且つ裏面が上方向を向く方向パターンの紙幣を「地裏紙幣」と定義する。
【００３０】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽および金種、紙幣の表裏の方向の他、紙幣の天地の方向が含まれる。また、識別部１５０は、紙幣の枚数を計数する機能を有する。
【００３１】
第１紙幣揃え部１６０は、識別部１５０の前方、即ち、識別部１５０よりも出金時の紙幣の流れの下流側に配置される。第１紙幣揃え部１６０は、メイン搬送路１４１の一部を構成する第１反転部１６１および第１非反転部１６２を含む。第１反転部１６１は、スイッチバック方式により紙幣を表裏反転させる反転機構を含む。第１反転部１６１を通過した紙幣は、図２（ｂ）に示すように、紙幣の短手方向、即ち天地方向に沿って表裏反転し、表裏と天地が入れ替わる。第１非反転部１６２は、第１反転部１６１とほぼ同じ経路長を有し、紙幣を現状の方向のまま通過させる。
【００３２】
第２紙幣揃え部１７０は、筐体１０内の後部に、その長手方向が上下方向となるように設けられる。第２紙幣揃え部１７０は、識別部１５０よりも入金時の紙幣の流れの下流側に位置する。第２紙幣揃え部１７０を、このような配置とすることにより、第１紙幣揃え部１６０と長手方向が前後方向となる第２紙幣揃え部１７０とを識別部１５０の前方に並べて配置する場合に比べて、貨幣入出金機１のサイズを前後方向にコンパクトにすることができる。
【００３３】
第２紙幣揃え部１７０は、メイン搬送路１４１の一部を構成する第２反転部１７１および第２非反転部１７２を含む。第２反転部１７１は、上下方向に延びる、スパイラル状に形成された反転搬送路を含む。第２反転部１７１を通過した紙幣は、図２（ｃ）に示すように、紙幣の長手方向、即ち左右方向に沿って表裏反転し、表裏と左右が入れ替わる。第２非反転部１７２は、第２反転部１７１とほぼ同じ経路長を有し、紙幣を現状の方向のまま通過させる。
【００３４】
２つのカセット１８０と３つのスタッカ２００は、筐体１０内において、搬送部１４０の下方に、前後に並ぶように設けられる。２つのカセット１８０が３つのスタッカ２００の前方に設けられる。最後尾のスタッカ２００の後方に第２紙幣揃え部１７０が位置する。
【００３５】
カセット１８０は、筐体１０から着脱可能であり、筐体１０の前面下部に設けられたドア（図示せず）を開放することにより、筐体１０の内部に出し入れすることができる。カセット１８０は、主に、スタッカ２００から回収された紙幣やスタッカ２００へ補充される紙幣を収納するために利用される。また、カセット１８０は、後述する紙幣の計数整理処理やスタッカ２００内の紙幣の自動精査を行う自動精査処理の際、紙幣を一時的に収納するために利用される。カセット１８０内には、紙幣が上下に積まれるように収納される。収納された紙幣を昇降するため、カセット１８０内に昇降ステージ１８０ａが設けられる。なお、前側のカセット１８０が第１カセット１８１となり、後側のカセット１８０が第２カセット１８２となる。なお、一方のカセット１８０を、２千円券、旧券、損券等の収納に利用することもできる。
【００３６】
カセット１８０用の一時保留部１９０は、対応するカセット１８０の上方に配置される。一時保留部１９０は、カセット１８０に収納される紙幣を一時的に保留する。一時保留部１９０の出入口側には繰出機構（図示せず）が設けられ、カセット１８０内の紙幣を、一時保留部１９０を通じてカセット搬送路１４５に繰り出すことができる。
【００３７】
スタッカ２００は、入金された紙幣を金種別に収納するために利用される。たとえば、３つのスタッカ２００のそれぞれに対し、一万円、千円および５千円の金種が割り当てられ得る。スタッカ２００内には、紙幣が上下に積まれるように収納される。収納された紙幣を昇降するため、スタッカ２００内に昇降ステージ２００ａが設けられる。
【００３８】
スタッカ２００用の一時保留部２１０は、対応するスタッカ２００の上方に配置される。一時保留部２１０は、スタッカ２００に収納される紙幣を一時的に保留する。一時保留部２１０の出入口側には繰出機構（図示せず）が設けられ、スタッカ２００内の紙幣を、一時保留部２１０を通じてスタッカ搬送路１４６に繰り出すことができる。
【００３９】
図３は、本実施形態に係る、貨幣入出金機１の主たる構成を示すブロック図である。
【００４０】
貨幣入出金機１は、上述した紙幣入出金ユニット１１および硬貨入出金ユニット１２の他、制御部１３、記憶部１４および操作表示部１５を備える。
【００４１】
制御部１３は、ＣＰＵ（Central Processing Unit）等の演算回路を備え、記憶部１４に記憶された動作プログラムに従って、紙幣入出金ユニット１１の各構成部（入金繰出機構１１１、搬送部１４０、識別部１５０、第１紙幣揃え部１６０、第２紙幣揃え部１７０、カセット１８０、一時保留部１９０、スタッカ２００、一時保留部２１０等）および硬貨入出金ユニット１２の各構成部を制御する。記憶部１４は、ＲＯＭ（Read Only Memory）、ＲＡＭ（Random Access Memory）やハードディスク等の記憶媒体を備え、制御部１３の動作プログラムを記憶し、また、制御部１３の制御処理の際にワーク領域として利用される。
【００４２】
操作表示部１５は、ディスプレイとタッチセンサとからなるタッチパネルで構成される。操作表示部１５は、ディスプレイに各種の画像（画面）を表示するとともに、ディスプレイに対するユーザのタッチ操作をタッチセンサにより検出する。操作表示部１５は、たとえば、筐体１０の上面の前端部に設けられる。
【００４３】
第１紙幣揃え部１６０および第２紙幣揃え部１７０は、協働することにより、紙幣の表裏および天地を揃えるための紙幣揃え部Ｍとして機能する。
【００４４】
＜揃えモード設定処理＞
次に、貨幣入出金機１により行われる揃えモード設定処理について、図４ないし図７を参照して説明する。
【００４５】
揃えモード設定処理は、出金部１２０に投出される紙幣の表裏および天地を、図２（ａ）で説明した、天表紙幣、地表紙幣、天裏紙幣および地裏紙幣の４つの方向パターンのうち、何れの方向パターンとなるように揃えるのかを設定する処理である。揃えモード設定処理では、天表紙幣となるように紙幣の表裏および天地を揃える天表揃えモード、地表紙幣となるように紙幣の表裏および天地を揃える地表揃えモード、天裏紙幣となるように紙幣の表裏および天地を揃える天裏揃えモード、地裏紙幣となるように紙幣の表裏および天地を揃える地裏揃えモードの４つの揃えモードの中から何れかの揃えモードを選択し、設定することができる。なお、紙幣の表裏および天地は、後述する入金処理および出金処理が行われた結果、選択された揃えモードに対応する方向パターンで揃えられる。
【００４６】
図４（ａ）ないし（ｄ）は、それぞれ、本実施形態に係る、天表揃えモード、地表揃えモード、天裏揃えモードおよび地裏揃えモードにおいて出金部１２０に投出される紙幣の方向パターンを示す図である。
【００４７】
図４（ａ）に示すように、天表揃えモードにより紙幣が天表紙幣に揃えられた場合、出金部１２０内において、紙幣は、地方向が取出し方向を向き且つ表面が上方向を向く状態となる。また、図４（ｂ）に示すように、地表揃えモードにより紙幣が地表紙幣に揃えられた場合、出金部１２０内において、紙幣は、天方向が取出し方向を向き且つ表面が上方向を向く状態となる。さらに、図４（ｃ）に示すように、天裏揃えモードにより紙幣が天裏紙幣に揃えられた場合、出金部１２０内において、紙幣は、地方向が取出し方向を向き且つ裏面が上方向を向く状態となる。さらに、図４（ｄ）に示すように、地裏揃えモードにより紙幣が地裏紙幣に揃えられた場合、出金部１２０内において、紙幣は、天方向が取出し方向を向き且つ裏面が上方向を向く状態となる。
【００４８】
図５（ａ）は、本実施形態に係る、モード設定ボタンＢ１ａを含むメニュー画面の一例を示す図であり、図５（ｂ）は、本実施形態に係る、モード設定ボタンＢ１ａを含まないメニュー画面の一例を示す図であり、図５（ｃ）は、本実施形態に係る、モード設定画面の一例を示す図である。図６は、本実施形態に係る、揃えモード設定処理の制御動作を示すフローチャートである。図７は、本実施形態に係る、対応テーブル１４ａの構成を示す図である。
【００４９】
保守係員、テラー等の操作を受け付けるため、制御部１３は、操作表示部１５にメニュー画面を表示させる。図５（ａ）および（ｂ）に示すように、メニュー画面には、入金処理等の各種の処理を開始させるためのボタンからなるメニューボタン群Ｂ１が含まれる。このとき、制御部１３は、貨幣入出金機１が全てのスタッカ２００内に紙幣がない状態にある場合には、図５（ａ）のように、メニューボタン群Ｂ１の中に、揃えモード設定処理を開始させるためのモード設定ボタンＢ１ａを含める。一方、制御部１３は、貨幣入出金機１が何れかのスタッカ２００内に紙幣がある状態にある場合には、図５（ｂ）のように、メニューボタン群Ｂ１の中にモード設定ボタンＢ１ａを含めない。たとえば、スタッカ２００内には、紙幣の有無を検出する検出センサが配置されており、検出センサから紙幣の有無に対応する信号が制御部１３に出力される。なお、メニューボタン群Ｂ１の中に常にモード設定ボタンＢ１ａが含まれるが、スタッカ２００内に紙幣がある場合にはモード設定ボタンＢ１ａをグレーアウト表示させ、モード設定ボタンＢ１ａへの操作を無効にするようにしてもよい。
【００５０】
このように、何れかのスタッカ２００内に紙幣があるときには、揃えモード設定処理が行えないので、通常、揃えモード設定処理を行えるのは、貨幣入出金機１を最初に使用する前や貨幣入出金機１の全てのスタッカ２００内の紙幣を回収した後に限られることとなる。
【００５１】
本実施形態では、後述するように、第２紙幣揃え部１７０と第１紙幣揃え部１６０とにより段階的に紙幣の表裏および天地が揃えられ、その途中の段階で紙幣がスタッカ２００に収納される。スタッカ２００内に収納されている紙幣の方向パターンは、そのときの揃えモードに応じたものとなるため、スタッカ２００内に紙幣がある状態で揃えモードが変更されてしまうと、変更前後の揃えモードによっては、最終的に、変更後の揃えモードに対応する方向パターンで紙幣の表裏および天地が揃えられない事態が生じ得る。そこで、本実施形態では、何れかのスタッカ２００内に紙幣があるときには揃えモード設定処理が行えないような構成とすることで、このような事態が生じないようにしている。
【００５２】
保守係員、テラー等により、図５（ａ）のメニュー画面において、モード設定ボタンＢ１ａが押されると、揃えモード設定処理が開始される。
【００５３】
制御部１３は、モード設定画面を操作表示部１５に表示させる（Ｓ１０１）。図５（ｃ）に示すように、モード設定画面は、天表揃えモードを選択するための天表揃えボタンＢ２、地表揃えモードを選択するための地表揃えボタンＢ３、天裏揃えモードを選択するための天裏揃えボタンＢ４および地裏揃えモードを選択するための地裏揃えボタンＢ５を含む。また、モード設定画面は、選択された揃えモードに決定するための決定ボタンＢ６を含む。
【００５４】
制御部１３は、４つの揃えモードのうち何れが選択されたかを判定する（Ｓ１０２〜Ｓ１０５）。天表揃えボタンＢ２と決定ボタンＢ６とが押されることにより、天表揃えモードが選択された場合（Ｓ１０２：ＹＥＳ）、制御部１３は、天表揃えモードに設定する（Ｓ１０６）。地表揃えボタンＢ３と決定ボタンＢ６とが押されることにより、地表揃えモードが選択された場合（Ｓ１０３：ＹＥＳ）、制御部１３は、地表揃えモードに設定する（Ｓ１０７）。天裏揃えボタンＢ４と決定ボタンＢ６とが押されることにより、天裏揃えモードが選択された場合（Ｓ１０４：ＹＥＳ）、制御部１３は、天裏揃えモードに設定する（Ｓ１０８）。地裏揃えボタンＢ５と決定ボタンＢ６とが押されることにより、地裏揃えモードが選択された場合（Ｓ１０５：ＹＥＳ）、制御部１３は、地裏揃えモードに設定する（Ｓ１０９）。
【００５５】
次に、制御部１３は、選択された揃えモードに応じた紙幣の設定を行う（Ｓ１１０）。即ち、制御部１３は、選択された揃えモードに応じて、後述する入力処理、出金処理および計数整理処理で判定される第１紙幣、第２紙幣、第３紙幣および第４紙幣の設定を行う。
【００５６】
記憶部１４には、対応テーブル１４ａが備えられる。図７に示すように、対応テーブル１４ａには、揃えモード毎に、天表紙幣、地表紙幣、天裏紙幣および地裏紙幣が第１紙幣ないし第４紙幣の何れに割り当てられるかが示されている。
【００５７】
制御部１３は、対応テーブル１４ａを参照し、天表揃えモードに設定された場合には、第１紙幣、第２紙幣、第３紙幣および第４紙幣として、それぞれ、地表紙幣、天裏紙幣、地裏紙幣および天表紙幣を設定する。また、制御部１３は、地表揃えモードに設定された場合には、第１紙幣、第２紙幣、第３紙幣および第４紙幣として、それぞれ、天表紙幣、地裏紙幣、天裏紙幣および地表紙幣を設定する。さらに、制御部１３は、天裏揃えモードに設定された場合には、第１紙幣、第２紙幣、第３紙幣および第４紙幣として、それぞれ、地裏紙幣、天表紙幣、地表紙幣および天裏紙幣を設定する。さらに、制御部１３は、地裏揃えモードに設定された場合には、第１紙幣、第２紙幣、第３紙幣および第４紙幣として、それぞれ、天裏紙幣、地表紙幣、天表紙幣および地裏紙幣を設定する。
【００５８】
第１紙幣、第２紙幣、第３紙幣および第４紙幣の設定が完了すると、制御部１３は、揃えモード設定処理を終了させる。
【００５９】
＜入金処理および出金処理＞
次に、貨幣入出金機１により行われる入金処理および出金処理について、図８ないし図１５を参照して説明する。本実施形態の貨幣入出金機１では、入金処理および出金処理が行われる結果、モード設定処理により設定された揃えモードに対応する方向パターンで出金部１２０に投出された紙幣の表裏および天地が揃えられる。
【００６０】
図８は、本実施形態に係る、入金処理の制御動作を示すフローチャートである。図９（ａ）は、本実施形態に係る、入金処理における貨幣入出金機１内での第１紙幣および第２紙幣の流れを示す図であり、図９（ｂ）は、本実施形態に係る、入金処理における貨幣入出金機１内での第３紙幣および第４紙幣の流れを示す図である。図１０（ａ）は、本実施形態に係る、出金処理の制御動作を示すフローチャートであり、図１０（ｂ）は、本実施形態に係る、戻し処理の制御動作を示すフローチャートである。図１１（ａ）は、本実施形態に係る、出金処理における貨幣入出金機１内での第３紙幣の流れを示す図であり、図１１（ｂ）は、本実施形態に係る、出金処理における貨幣入出金機１内での第４紙幣の流れを示す図であり、図１１（ｃ）は、本実施形態に係る、出金処理における貨幣入出金機１内での第１紙幣および第２紙幣の流れを示す図であり、図１１（ｄ）は、本実施形態に係る、戻し処理における貨幣入出金機１内での第１紙幣および第２紙幣の流れを示す図である。
【００６１】
テラーにより、入金する紙幣が入金部１１０に投入された後、たとえば、図５（ａ）のメニュー画面において、入金処理のための操作が行われると、入金処理が開始される。
【００６２】
図８を参照して、制御部１３は、入金部１１０から一枚ずつ紙幣（バラ紙幣）を繰り出させて搬送部１４０に搬送させ（Ｓ２０１）、搬送部１４０を流れる紙幣の属性（金種、表裏の方向、天地の方向等）を識別部１５０により識別する（Ｓ２０２）。次に、制御部１３は、識別部１５０での識別結果に基づいて、紙幣が、揃えモード設定処理で設定された第１紙幣または第２紙幣であるか否かを判定する（Ｓ２０３）。紙幣が第１紙幣または第２紙幣である場合（Ｓ２０３：ＹＥＳ）、制御部１３は、その紙幣を第２反転部１７１に通して、その紙幣の表裏および左右を入れ替えた後に（Ｓ２０４）、対応するスタッカ２００の一時保留部２１０に収納する（Ｓ２０５）。一方、紙幣が第１紙幣でも第２紙幣でもない、即ち、揃えモード設定処理で設定された第３紙幣または第４紙幣である場合（Ｓ２０３：ＮＯ）、制御部１３は、その紙幣を第２反転部１７１に通さず第２非反転部１７２に通した後に対応するスタッカ２００の一時保留部２１０に収納する（Ｓ２０５）。
【００６３】
制御部１３は、入金部１１０から紙幣が全て繰り出されるまで、Ｓ２０１からＳ２０５の処理を繰り返す。紙幣が全て繰り出されると（Ｓ２０６：ＹＥＳ）、制御部１３は、承認操作を待つ（Ｓ２０７）。承認操作がなされると（Ｓ２０７：ＹＥＳ）、制御部１３は、一時保留部２１０から紙幣を排出させてスタッカ２００に収納する（Ｓ２０８）。こうして、入金処理が終了する。
【００６４】
なお、承認操作がなされる前に、返却操作がなされた場合（Ｓ２０７：ＮＯ→Ｓ２０９：ＹＥＳ）、制御部１３は、一時保留部２１０から紙幣を排出させて出金部１２０に返却する（Ｓ２１０）。
【００６５】
このような入金処理が行われることにより、入金部１１０に入金された紙幣のうち、第１紙幣および第２紙幣は、図９（ａ）のように、第２反転部１７１を経由し第３紙幣および第４紙幣に変換されてスタッカ２００に収納され、第３紙幣および第４紙幣は、図９（ｂ）のように、第２非反転部１７２を経由してスタッカ２００に収納される。こうして、入金後、スタッカ２００内は、第３紙幣および第４紙幣のみが収納された状態となる。
【００６６】
テラーにより、たとえば、図５（ａ）のメニュー画面において、出金処理のための操作が行われると、出金処理が開始される。
【００６７】
図１０（ａ）を参照して、制御部１３は、スタッカ２００から一枚ずつ紙幣を繰り出させて搬送部１４０に搬送させ（Ｓ３０１）、搬送部１４０を流れる紙幣の属性（金種、表裏の方向、天地の方向等）を識別部１５０により識別する（Ｓ３０２）。次に、制御部１３は、識別部１５０での識別結果に基づいて、紙幣が揃えモード設定処理で設定された第３紙幣であるか否か、および、紙幣が揃えモード設定処理で設定された第４紙幣であるか否かを判定する（Ｓ３０３、Ｓ３０４）。紙幣が第３紙幣である場合（Ｓ３０３：ＹＥＳ）、制御部１３は、その紙幣を第１反転部１６１に通して、その紙幣の表裏および天地を入れ替えた後に（Ｓ３０５）、出金部１２０に投出する（Ｓ３０６）。
【００６８】
上述の通り、入金処理によってスタッカ２００内には第３紙幣または第４紙幣のみが収納される。よって、通常の場合、出金される紙幣は、第３紙幣でなければ第４紙幣となる。しかしながら、たとえば、出金時に搬送部１４０でジャム等のエラーが発生し、テラーの手により搬送部１４０に残った紙幣がスタッカ２００に戻されるなど、スタッカ２００内の紙幣が外部から触れられるような状況となった場合、スタッカ２００内に第１紙幣または第２紙幣が混ざり込んでしまうことが生じ得る。こうした場合に、出金処理の際、第１紙幣または第２紙幣が搬送部１４０を流れ得る。
【００６９】
紙幣が第４紙幣である場合（Ｓ３０４：ＹＥＳ）、制御部１３は、その紙幣を第１反転部１６１に通さず第１非反転部１６２に通して出金部１２０に投出する（Ｓ３０６）。一方、上述の要因により、第１紙幣または第２紙幣が搬送部１４０を流れた場合、Ｓ３０４で紙幣が第４紙幣でないと判定され得る。このような判定がなされた場合（Ｓ３０４：ＮＯ）、制御部１３は、その紙幣、即ち第１紙幣または第２紙幣を、出金部１２０に投出せずに、第１非反転部１６２を経由させて第１カセット１８１に収納する（Ｓ３０７）。
【００７０】
制御部１３は、出金操作で指定された枚数、即ち、出金枚数の紙幣が出金部１２０に投出されるまで、Ｓ３０１からＳ３０７の処理を繰り返す。出金枚数の紙幣が出金部１２０に投出されると（Ｓ３０８：ＹＥＳ）、制御部１３は、出金処理を終了させる。
【００７１】
このような出金処理が行われることにより、スタッカ２００から出金された紙幣のうち、第３紙幣は、図１１（ａ）のように、第１反転部１６１を経由し第４紙幣に変換されて出金部１２０に投出され、第４紙幣は、図１１（ｂ）のように、第１非反転部１６２を経由して出金部１２０に投出される。また、第１紙幣または第２紙幣が存在した場合、これら紙幣は、図１１（ｃ）のように、第１非反転部１６２を経由して第１カセット１８１に収納される。こうして、出金後、出金部１２０には、第４紙幣のみが投出された状態となる。即ち、紙幣は、表裏および天地が揃えられた状態で出金部１２０に投出される。
【００７２】
図１２は、本実施形態に係る、天表揃えモードに設定されている場合に入金処理および出金処理が行われたときの紙幣の状態の遷移を示す図である。図１３は、本実施形態に係る、地表揃えモードに設定されている場合に入金処理および出金処理が行われたときの紙幣の状態の遷移を示す図である。図１４は、本実施形態に係る、天裏揃えモードに設定されている場合に入金処理および出金処理が行われたときの紙幣の状態の遷移を示す図である。図１５は、本実施形態に係る、地裏揃えモードに設定されている場合に入金処理および出金処理が行われたときの紙幣の状態の遷移を示す図である。
【００７３】
図１２に示すように、天表揃えモードに設定されている場合、入金処理において、入金部１１０に投入された紙幣のうち、地表紙幣は、第２反転部１７１により地裏紙幣に変換されてスタッカ２００に収納され、天裏紙幣は、第２反転部１７１により天表紙幣に変換されてスタッカ２００に収納される。また、地裏紙幣および天表紙幣は、その方向パターンのままスタッカ２００に収納される。地裏紙幣および天表紙幣は、表裏および天地の方向は揃っていないが、左右の方向が揃っている。その後、出金処理において、スタッカ２００から繰り出された天表紙幣および地裏紙幣のうち、地裏紙幣は、第１反転部１６１により天表紙幣に変換されて出金部１２０に投出され、天表紙幣は、その方向パターンのまま出金部１２０に投出される。こうして、出金部１２０内の紙幣は、図４（ａ）のように、天表紙幣の方向パターンに表裏および天地が揃えられた状態となる。
【００７４】
図１３に示すように、地表揃えモードに設定されている場合、入金処理において、入金部１１０に投入された紙幣のうち、天表紙幣は、第２反転部１７１により天裏紙幣に変換されてスタッカ２００に収納され、地裏紙幣は、第２反転部１７１により地表紙幣に変換されてスタッカ２００に収納される。また、天裏紙幣および地表紙幣は、その方向パターンのままスタッカ２００に収納される。天裏紙幣および地表紙幣は、表裏および天地の方向は揃っていないが、左右の方向が揃っている。その後、出金処理において、スタッカ２００から繰り出された天裏紙幣および地表紙幣のうち、天裏紙幣は、第１反転部１６１により地表紙幣に変換されて出金部１２０に投出され、地表紙幣は、その方向パターンのまま出金部１２０に投出される。こうして、出金部１２０内の紙幣は、図４（ｂ）のように、地表紙幣の方向パターンに表裏および天地が揃えられた状態となる。
【００７５】
図１４に示すように、天裏揃えモードに設定されている場合、入金処理において、入金部１１０に投入された紙幣のうち、地裏紙幣は、第２反転部１７１により地表紙幣に変換されてスタッカ２００に収納され、天表紙幣は、第２反転部１７１により天裏紙幣に変換されてスタッカ２００に収納される。また、地表紙幣および天裏紙幣は、その方向パターンのままスタッカ２００に収納される。地表紙幣および天裏紙幣は、表裏および天地の方向は揃っていないが、左右の方向が揃っている。その後、出金処理において、スタッカ２００から繰り出された地表紙幣および天裏紙幣のうち、地表紙幣は、第１反転部１６１により天裏紙幣に変換されて出金部１２０に投出され、天裏紙幣は、その方向パターンのまま出金部１２０に投出される。こうして、出金部１２０内の紙幣は、図４（ｃ）のように、天裏紙幣の方向パターンに表裏および天地が揃えられた状態となる。
【００７６】
図１５に示すように、地裏揃えモードに設定されている場合、入金処理において、入金部１１０に投入された紙幣のうち、天裏紙幣は、第２反転部１７１により天表紙幣に変換されてスタッカ２００に収納され、地表紙幣は、第２反転部１７１により地裏紙幣に変換されてスタッカ２００に収納される。また、天表紙幣および地裏紙幣は、その方向パターンのままスタッカ２００に収納される。天表紙幣および地裏紙幣は、表裏および天地の方向は揃っていないが、左右の方向が揃っている。その後、出金処理において、スタッカ２００から繰り出された天表紙幣および地裏紙幣のうち、天表紙幣は、第１反転部１６１により地裏紙幣に変換されて出金部１２０に投出され、地裏紙幣は、その方向パターンのまま出金部１２０に投出される。こうして、出金部１２０内の紙幣は、図４（ｄ）のように、地裏紙幣の方向パターンに表裏および天地が揃えられた状態となる。
【００７７】
出金処理において、第１カセット１８１に第１紙幣または第２紙幣が収納された場合、出金処理が終了した後、自動的に、あるいは、テラーの操作に基づいて、第１カセット１８１の紙幣をスタッカ２００に戻すための戻し処理が行われる。
【００７８】
図１０（ｂ）を参照して、制御部１３は、第１カセット１８１から一枚ずつ紙幣を繰り出させ（Ｓ４０１）、繰り出された紙幣を第２反転部１７１に通して、その紙幣の表裏および左右を入れ替えた後に（Ｓ４０２）、対応するスタッカ２００に収納する（Ｓ４０３）。制御部１３は、第１カセット１８１から紙幣が全て繰り出されるまで、Ｓ４０１からＳ４０３の処理を繰り返す。紙幣が全て繰り出されると（Ｓ４０４：ＹＥＳ）、制御部１３は、戻し処理を終了させる。
【００７９】
このような戻し処理が行われることにより、第１カセット１８１から繰り出された第１紙幣および第２紙幣は、図１１（ｄ）のように、第２反転部１７１を経由してスタッカ２００に収納される。これにより、第１紙幣は第３紙幣に変換されてスタッカ２００に収納され、第２紙幣は第４紙幣に変換されてスタッカ２００に収納される。
【００８０】
天表揃えモードでは、スタッカ２００内に地表紙幣および天裏紙幣が混在していた場合、これら紙幣は、出金処理の際に第１カセット１８１に退避された後、戻し処理により地裏紙幣および天表紙幣に変換されてスタッカ２００に戻される。また、地表揃えモードでは、スタッカ２００内に天表紙幣および地裏紙幣が混在していた場合、これら紙幣は、出金処理の際に第１カセット１８１に退避された後、戻し処理により天裏紙幣および地表紙幣に変換されてスタッカ２００に戻される。さらに、天裏揃えモードでは、スタッカ２００内に地裏紙幣および天表紙幣が混在していた場合、これら紙幣は、出金処理の際に第１カセット１８１に退避された後、戻し処理により地表紙幣および天表紙幣に変換されてスタッカ２００に戻される。さらに、地裏揃えモードでは、スタッカ２００内に天裏紙幣および地表紙幣が混在していた場合、これら紙幣は、出金処理の際に第１カセット１８１に退避された後、戻し処理により天表紙幣および地裏紙幣に変換されてスタッカ２００に戻される。
【００８１】
なお、上記の例では、第１紙幣および第２紙幣を収納するために第１カセット１８１が用いられた。しかしながら、これら紙幣の収納に第２カセット１８２が用いられてもよいし、双方のカセット１８１、１８２が用いられてよい。あるいは、第１紙幣および第２紙幣の収納に、第１カセット１８１および第２カセット１８２の少なくとも何れかに対応する一時保留部１９０が用いられてもよい。
【００８２】
＜計数整理処理＞
次に、貨幣入出金機１により行われる計数整理処理について、図１６ないし図１８を参照して説明する。計数整理処理は、入金部１１０に投入された所定金種の複数枚の紙幣（バラ紙幣）を、表裏および天地を揃えるとともに所定の枚数（たとえば、１００枚。以下、「整理枚数」という）のまとまりにして出金部１２０に投出させる処理である。なお、この計数整理処理においても、モード設定処理により設定された揃えモードに対応する方向パターンで出金部１２０に投出された紙幣の表裏および天地が揃えられる。
【００８３】
図１６および図１７は、本実施形態に係る、計数整理処理の制御動作を示すフローチャートである。図１８（ａ）は、本実施形態に係る、計数整理処理における貨幣入出金機１内での第１紙幣および第２紙幣の第１カセット１８１および第２カセット１８２に収納されるまで流れを示す図であり、図１８（ｂ）は、本実施形態に係る、計数整理処理における貨幣入出金機１内での第３紙幣および第４紙幣の第１カセット１８１および第２カセット１８２に収納されるまで流れを示す図である。図１８（ｃ）は、本実施形態に係る、計数整理処理における貨幣入出金機１内での第４紙幣の出金部１２０に投出されるまで流れを示す図であり、図１８（ｄ）は、本実施形態に係る、計数整理処理における貨幣入出金機１内での第３紙幣の出金部１２０に投出されるまで流れを示す図である。
【００８４】
テラーにより、整理する紙幣が入金部１１０に投入された後、たとえば、図５（ａ）のメニュー画面において、計数整理処理のための操作が行われると、計数整理処理が開始される。
【００８５】
図１６および図１７を参照して、制御部１３は、入金部１１０から一枚ずつ紙幣を繰り出させて搬送部１４０に搬送させ（Ｓ５０１）、搬送部１４０を流れる紙幣の属性（金種、表裏の方向、天地の方向等）を識別部１５０により識別する（Ｓ５０２）。次に、制御部１３は、識別部１５０での識別結果に基づいて、紙幣が、揃えモード設定処理で設定された第１紙幣、第２紙幣、第３紙幣および第４紙幣のうち、何れの紙幣であるかを判定する（Ｓ５０３）。
【００８６】
紙幣が第４紙幣である場合（Ｓ５０３：第４紙幣）、制御部１３は、その紙幣を第２反転部１７１に通さずに第２非反転部１７２に通して第１カセット１８１に収納する（Ｓ５０４）。紙幣が第２紙幣である場合（Ｓ５０３：第２紙幣）、制御部１３は、その紙幣を第２反転部１７１に通して、その紙幣の表裏および左右を入れ替えた後に（Ｓ５０５）、第１カセット１８１に収納する（Ｓ５０４）。紙幣が第３紙幣である場合（Ｓ５０３：第３紙幣）、制御部１３は、その紙幣を第２反転部１７１に通さずに第２非反転部１７２に通して第２カセット１８２に収納する（Ｓ５０６）。紙幣が第１紙幣である場合（Ｓ５０３：第１紙幣）、制御部１３は、その紙幣を第２反転部１７１に通して、その紙幣の表裏および左右を入れ替えた後に（Ｓ５０７）、第２カセット１８２に収納する（Ｓ５０６）。
【００８７】
制御部１３は、入金部１１０から整理枚数だけ紙幣が繰り出されるまで、Ｓ５０１からＳ５０７の処理を繰り返す。入金部１１０に投入された紙幣のうち、第１紙幣および第２紙幣は、図１８（ａ）のように、第２反転部１７１を経由して、第３紙幣および第４紙幣に変換され、それぞれ、第２カセット１８２および第１カセット１８１に収納される。一方、第３紙幣および第４紙幣は、図１８（ｂ）のように、第２非反転部１７２を経由して、それぞれ、第２カセット１８２および第１カセット１８１に収納される。こうして、第１カセット１８１には第４紙幣のみが収納された状態となり、第２カセット１８２には第３紙幣のみが収納された状態となる。
【００８８】
入金部１１０から整理枚数だけ紙幣が繰り出されると（Ｓ５０８：ＹＥＳ）、制御部１３は、第１カセット１８１から一枚ずつ紙幣を繰り出させ（Ｓ５０９）、繰り出された紙幣を第１非反転部１６２に通して出金部１２０に投出する（Ｓ５１０）。第１カセット１８１から全ての紙幣が繰り出されると（Ｓ５１１：ＹＥＳ）、制御部１３は、第２カセット１８２から一枚ずつ紙幣を繰り出させ（Ｓ５１２）、繰り出された紙幣を第１反転部１６１に通して、その紙幣の表裏および天地を入れ替えた後に（Ｓ５１３）、出金部１２０に投出する（Ｓ５１４）。第２カセット１８２から全ての紙幣が繰り出されると（Ｓ５１５：ＹＥＳ）、制御部１３は、計数整理処理を終了させる。
【００８９】
なお、Ｓ５１５の後、入金部１１０に紙幣が残っている場合には、制御部１３は、計数整理処理を終了させず、続けて計数整理処理を行うようにしてもよい。
【００９０】
第１カセット１８１の第４紙幣は、図１８（ｃ）のように、第１非反転部１６２を経由して出金部１２０に投出され、第２カセット１８２の第３紙幣は、図１８（ｄ）のように、第１反転部１６１を経由して第４紙幣に変換され、出金部１２０に投出される。こうして、出金部１２０には、第４紙幣のみが投出された状態となる。即ち、整理枚数の紙幣が、表裏および天地が揃えられた状態で出金部１２０に投出される。
【００９１】
この計数整理処理においても、天表揃えモードに設定されている場合には、出金部１２０内の紙幣が、図４（ａ）のように、天表紙幣の方向パターンに表裏および天地が揃えられた状態となる。また、地表揃えモードに設定されている場合には、出金部１２０内の紙幣が、図４（ｂ）のように、地表紙幣の方向パターンに表裏および天地が揃えられた状態となる。さらに、天裏揃えモードに設定されている場合には、出金部１２０内の紙幣が、図４（ｃ）のように、天裏紙幣の方向パターンに表裏および天地が揃えられた状態となる。さらに、地裏揃えモードに設定されている場合には、出金部１２０内の紙幣が、図４（ｄ）のように、地裏紙幣の方向パターンに表裏および天地が揃えられた状態となる。
【００９２】
なお、上記の例では、第４紙幣および第３紙幣を収納するために第１カセット１８１および第２カセット１８２が用いられた。しかしながら、第４紙幣および第３紙幣を収納するためにカセット１８０用の２つの一時保留部１９０が用いられてもよいし、スタッカ２００用の３つの一時保留部２１０のうち２つが用いられてもよい。
【００９３】
＜実施形態の効果＞
本実施形態によれば、以下の効果が奏され得る。
【００９４】
表裏および天地が揃った紙幣を出金部１２０に投出させることができるので、これら紙幣の見栄えが良い上に取扱いやすい。
【００９５】
出金部１２０に投出された、表裏および天地が揃えられた紙幣がとる方向を４つの方向パターン（天表紙幣、地表紙幣、天裏紙幣、地裏紙幣）の中から選択できるので、貨幣入出金機１の使い勝手を向上させることができる。
【００９６】
入金処理において紙幣を第２紙幣揃え部１７０に通して紙幣の一部の方向を揃え、出金処理において紙幣を第１紙幣揃え部１６０に通して最終的に紙幣の表裏および天地を揃えるようにしているので、表裏および天地を揃えるために要する時間を入金処理と出金処理とに分散させることができ、入金処理または出金処理に偏った時間の増加を抑制できる。なお、たとえば、入金処理の際に表裏および天地を揃える場合は、紙幣を揃えるための時間増加が入金処理に偏ってしまい、入金処理に時間が掛かってしまうことが懸念される。
【００９７】
何れかのスタッカ２００内に紙幣があるときには、メニュー画面にモード設定ボタンＢ１ａを含めず揃えモード設定処理が行えないようにすることで、制御部１３が揃えモードの選択（方向パターンの選択）を受け付けないようにしたので、スタッカ２００への入金時に紙幣の一部を揃え、スタッカ２００からの出金時に最終的に紙幣の表裏および天地を揃えるような構成とした場合に、揃えモードが変更されても変更後の揃えモードに対応する方向パターンで紙幣の表裏および天地が揃えられなくなる、という事態が生じることを防止できる。
【００９８】
エラーの発生等が原因で、スタッカ２００内に、通常収納されるべき正しい向きの紙幣（天表揃えモードの場合、天表紙幣および地裏紙幣）とは向きの異なる誤った向きの紙幣（天表揃えモードの場合、地表紙幣および天裏紙幣）が混在していても、これら誤った向きの紙幣を出金部１２０へ投出させないので、表裏および天地の揃った紙幣のみを出金部１２０に投出させることができる。
【００９９】
戻し処理によって、誤った向きの紙幣（天表揃えモードの場合、地表紙幣および天裏紙幣）を、正しい向きの紙幣（天表揃えモードの場合、天表紙幣および地裏紙幣）に変換してスタッカ２００に戻すことができ、スタッカ２００内を適正な収納状態に戻すことが可能となる。
【０１００】
以上、本発明の実施形態について説明したが、本発明は、上記実施形態によって何ら制限されるものではなく、また、本発明の実施形態も、以下に示す通り、上記以外に種々の変更が可能である。
【０１０１】
＜変更例１＞
図１９は、変更例１に係る、揃えモード設定処理の制御動作を示すフローチャートである。図２０は、変更例１に係る、揃えモード設定処理に含まれる方向変更処理の制御動作を示すフローチャートである。図２１（ａ）は、変更例１に係る、方向変更処理における貨幣入出金機１内でのスタッカ２００から第１カセット１８１への紙幣の流れを示す図であり、図２１（ｂ）は、変更例１に係る、方向変更処理における貨幣入出金機１内での第１カセット１８１からスタッカ２００への紙幣の流れを示す図である。なお、本変更例の揃えモード設定処理は、図６に示す上記実施形態の揃えモード設定処理にＳ１２１ないしＳ１２３の処理が付加されたものである。
【０１０２】
本変更例では、制御部１３は、スタッカ２００内の紙幣の有無に関わらず、図５（ａ）に示すような、モード設定ボタンＢ１ａが含まれるメニュー画面を操作表示部１５に表示させる。即ち、本変更例では、このように、何れかのスタッカ２００内に紙幣があるときにも、揃えモード設定処理を行うことができる。
【０１０３】
図１９を参照して、保守係員、テラー等によりモード設定ボタンＢ１ａが押され、揃えモード設定処理が開始されると、上記実施形態と同様、Ｓ１０１ないしＳ１１０の処理が実行され、モード設定画面で選択された揃えモードの設定と、選択された揃えモードに応じた第１紙幣、第２紙幣、第３紙幣および第４紙幣の設定が行われる。
【０１０４】
次に、制御部１３は、何れかのスタッカ２００内に紙幣があるか否かを判定し（Ｓ１２１）、紙幣があれば（Ｓ１２１：ＹＥＳ）、今回の設定よって天表揃えモードまたは地裏揃えモードと地表揃えモードまたは天裏揃えモードとの間でのモード変更が行われたか否かを判定する（Ｓ１２２）。
【０１０５】
天表揃えモードおよび地裏揃えモードでは、天表紙幣と地裏紙幣とがスタッカ２００内に収納される。一方、地表揃えモードおよび天裏揃えモードでは、天裏紙幣と地表紙幣とがスタッカ２００内に収納される。よって、天表揃えモードと地裏揃えモードとの間および地表揃えモードと天裏揃えモードとの間でモード変更が行われる場合には、スタッカ２００内の紙幣の方向パターンを変更する必要がない。一方、天表揃えモードまたは地裏揃えモードと地表揃えモードまたは天裏揃えモードとの間でモード変更が行われる場合には、スタッカ２００内の紙幣の方向パターンを、天表紙幣および地裏紙幣と天裏紙幣と地表紙幣との間で変更する必要がある。
【０１０６】
天表揃えモードまたは地裏揃えモードと地表揃えモードまたは天裏揃えモードとの間でモード変更が行われた場合（Ｓ１２２：ＹＥＳ）、制御部１３は、スタッカ２００内の紙幣の方向パターンを変更する方向変更処理を行う（Ｓ１２３）。
【０１０７】
図２０を参照して、制御部１３は、スタッカ２００から一枚ずつ紙幣を繰り出させ（Ｓ６０１）、第１カセット１８１に収納する（Ｓ６０２）。スタッカ２００から全ての紙幣が繰り出されると（Ｓ６０３：ＹＥＳ）、制御部１３は、第１カセット１８１から一枚ずつ紙幣を繰り出させ（Ｓ６０４）、繰り出された紙幣を第２反転部１７１に通して、その紙幣の表裏および左右を入れ替えた後に（Ｓ６０５）、スタッカ２００に収納する（Ｓ６０６）。第１カセット１８１から全ての紙幣が繰り出されると（Ｓ６０７：ＹＥＳ）、制御部１３は、方向変更処理を終了させ、さらに、揃えモード設定処理を終了させる。
【０１０８】
方向変更処理が行われることにより、スタッカ２００内の紙幣は、図２１（ａ）のように、一旦、第１カセット１８１内に移される。その後、第１カセット１８１内の紙幣は、図２１（ｂ）のように、スタッカ２００内に戻され、この際に、第２反転部１７１を通り、その方向パターンが変更される。即ち、天表揃えモードまたは地裏揃えモードから地表揃えモードまたは天裏揃えモードへモード変更がなされた場合は、天表紙幣および地裏紙幣が、それぞれ天裏紙幣および地表紙幣に変更されてスタッカ２００へ戻され、地表揃えモードまたは天裏揃えモードから天表揃えモードまたは地裏揃えモードへモード変更がなされた場合は、天裏紙幣および地表紙幣が、それぞれ天表紙幣および地裏紙幣に変更されてスタッカ２００に戻される。これにより、スタッカ２００内の紙幣は、変更された揃えモードに対応する方向パターンとなる。
【０１０９】
なお、Ｓ１２１において全てのスタッカ２００に紙幣がないと判定された場合（Ｓ１２１：ＮＯ）、および、Ｓ１２２において天表揃えモードまたは地裏揃えモードと地表揃えモードまたは天裏揃えモードとの間でのモード変更でないと判定された場合（Ｓ１２２：ＮＯ）、制御部１３は、方向変更処理を行うことなく揃えモード設定処理を終了させる。
【０１１０】
本変更例の構成によれば、スタッカ２００への入金時に紙幣の一部を揃え、スタッカ２００からの出金時に最終的に紙幣の表裏および天地を揃えるような構成とした場合に、揃えモードが変更されても変更後の揃えモードに対応する方向パターンで紙幣の表裏および天地が揃えられなくなる、という事態が生じることを防止できる。しかも、スタッカ２００内に紙幣がない場合に制限されることなく、揃えモード設定処理を行うことができる。
【０１１１】
＜その他の変更例＞
上記実施形態において、揃えモード設定処理を行える対象が、保守係員に制限されるようにしてもよい。この場合、メニュー画面でモード設定ボタンＢ１ａが押されると、ＩＤの入力が要求され、入力されたＩＤが保守係員のＩＤに一致した場合に、モード設画面が表示されることになる。
【０１１２】
また、上記実施形態において、自動精査処理が行われる際に、揃えモードの設定（変更）が行えるようにしてもよい。自動精査処理では、スタッカ２００の紙幣が、一旦、カセット１８０に移され、その間に計測された紙幣の枚数や金額が、記憶部１４に記録された枚数や金額に一致するか否かが検査される。その後、紙幣がカセット１８０からスタッカ２００に戻される。揃えモードの設定により、天表揃えモードまたは地裏揃えモードと地表揃えモードまたは天裏揃えモードとの間でのモード変更がなされることになった場合は、カセット１８０からスタッカ２００に戻されるときに、紙幣が第２反転部１７１に通されて、その方向パターンが変更される。このようにすれば、何れかのスタッカ２００内に紙幣があっても、所望の揃えモードに設定することができる。
【０１１３】
さらに、上記実施形態において、記録媒体や外部からの通信により取得する設定ファイルにより揃えモードを読み込んで設定するようにしてもよい。この場合、設定ファイルに、設定する揃えモードが書き込まれる。そして、制御部１３は、設定ファイルから、設定する揃えモードを読み込み、読み込んだ揃えモードに設定する。
【０１１４】
さらに、上記実施形態において、操作表示部１５は無線または有線で貨幣入出金機１に接続された端末であってもよい。
【０１１５】
さらに、上記実施形態において、モード設定画面に含まれる４つの揃えボタンＢ２〜Ｂ５のうち、現在設定されている揃えモードに対応する揃えボタンを、モード設定画面から消すようにしてもよいし、グレーアウト表示により操作が無効になるようにしてもよい。これにより、テラー等は、現在設定されている揃えモードを認識できる。
【０１１６】
さらに、上記実施形態では、何れかのスタッカ２００内に紙幣がある場合は、メニュー画面にモード設定ボタンＢ１ａが含められず、揃えモード設定処理を行うことができない。しかしながら、何れかのスタッカ２００内に紙幣がある場合にも、メニュー画面にモード設定ボタンＢ１ａを含めるようにし、モード設定ボタンＢ１ａを押すことで、現在の揃えモードから変更可能な揃えモードのみの設定が行える揃えモード設定処理が実行されるようにしてもよい。たとえば、現在の揃えモードが天表揃えモードの場合、モード設定画面には地裏揃えボタンＢ５のみが含められ、現在の揃えモードが地表揃えモードの場合、モード設定画面には天裏揃えボタンＢ４のみが含められる。この場合、操作可能なボタン以外のボタンも表示するが、グレーアウト表示にして操作を受け付けないようにしてもよい。
【０１１７】
さらに、上記実施形態では、４つの方向パターン（揃えモード）の中から所望の方向パターン（揃えモード）が選択できる。しかしながら、選択できる方向パターンは、４つでなくともよく、少なくとも２つ以上の方向パターンの中から所望の方向パターンが選択できればよい。
【０１１８】
さらに、上記実施形態では、４つの方向パターン（揃えモード）の選択は、入金部１１０への紙幣の投入による方法により行われてもよい。この場合、モード設定ボタンＢ１ａが押されると、貨幣入出金機１は紙幣の投入待ち状態となる。入金部１１０に紙幣が投入されると、その紙幣の方向が識別部１５０で識別され、制御部１３は、入金部１１０に投入された紙幣の方向に方向パターンを変更する。なお、識別部１５０で識別された後の紙幣は、カセット１８０またはスタッカ２００に収納されてもよいし、出金部１２０やリジェクト部１３０に送られてもよい。
【０１１９】
さらに、上記実施形態では、貨幣入出金機１において、識別部１５０を挟んで、順搬送方向（図１の実線矢印）の上流側に第１紙幣揃え部１６０が設けられ、下流側に第２紙幣揃え部１７０が設けられた。しかしながら、これと反対に、貨幣入出金機１において、識別部１５０を挟んで、順搬送方向の上流側に第２紙幣揃え部１７０が設けられ、下流側に第１紙幣揃え部１６０が設けられてもよい。この場合、入金処理において第１紙幣揃え部１６０によって天地のみが揃えられた紙幣がスタッカ２００に収納される。そして、スタッカ２００から繰り出された、天地のみが揃えられた紙幣が、第２紙幣揃え部１７０よって表裏および天地が揃えられて出金部１２０に投出される。この変更例では、第２紙幣揃え部１７０が特許請求の範囲に記載の「出金紙幣揃え部」に対応することとなり、第１紙幣揃え部１６０が特許請求の範囲に記載の「収納紙幣揃え部」に対応することとなる。
【０１２０】
さらに、識別部１５０の順搬送方向の下流側に第１紙幣揃え部１６０と第２紙幣揃え部１７０の双方が配置されてもよい。この場合、入金処理の際に、紙幣の表裏および天地が揃えられる。反対に、識別部１５０の順搬送方向の上流側に第１紙幣揃え部１６０と第２紙幣揃え部１７０の双方が配置されてもよい。この場合、出金処理の際に、紙幣の表裏および天地が揃えられる。また、この場合は、スタッカ２００内の紙幣の有無に関係なく揃えモードの設定を行うことができる。
【０１２１】
さらに、上記実施形態において、第１反転部１６１が、紙幣を同一面内で１８０度回転させることにより、紙幣の天地の向き（左右の向き）を入れ替えるが表裏の向きを入れ替えない構成とされてもよい。この場合、入金処理において第２紙幣揃え部１７０によって表裏のみが揃えられた紙幣がスタッカ２００に収納される。そして、スタッカ２００から繰り出された、表裏のみが揃えられた紙幣が、第１紙幣揃え部１６０によって表裏および天地が揃えられて出金部１２０に投出される。また、上記実施形態において、第２反転部１７１が、紙幣を同一面内で１８０度回転させることにより、紙幣の左右の向き（天地の向き）を入れ替えるが表裏の向きを入れ替えない構成とされてもよい。この場合は、上記実施形態と同様、入金処理において第２紙幣揃え部１７０によって左右のみが揃えられた紙幣がスタッカ２００に収納され、出金処理において第１紙幣揃え部１６０によって表裏および天地が揃えられた紙幣が出金部１２０に投出される。
【０１２２】
さらに、第１紙幣揃え部１６０と第２紙幣揃え部１７０とを、識別部１５０の下流側と上流側とに入れ替えた場合に、さらに、第２反転部１７１が、紙幣を同一面内で１８０度回転させることにより、紙幣の左右の向き（天地の向き）を入れ替えるが表裏の向きを入れ替えない構成とされてもよい。この場合、入金処理において第１紙幣揃え部１６０によって表裏のみが揃えられた紙幣がスタッカ２００に収納される。そして、スタッカ２００から繰り出された、表裏のみが揃えられた紙幣が、第２紙幣揃え部１７０によって表裏および天地が揃えられて出金部１２０に投出される。また、同じく、第１紙幣揃え部１６０と第２紙幣揃え部１７０とを、識別部１５０の下流側と上流側とに入れ替えた場合に、第１反転部１６１が、紙幣を同一面内で１８０度回転させることにより、紙幣の天地の向き（左右の向き）を入れ替えるが表裏の向きを入れ替えない構成とされてもよい。この場合は、入金処理において第１紙幣揃え部１６０によって天地のみが揃えられた紙幣がスタッカ２００に収納され、出金処理において第２紙幣揃え部１７０によって表裏および天地が揃えられた紙幣が出金部１２０に投出される。
【０１２３】
さらに、貨幣入出金機１に備えられるスタッカ２００およびカセット１８０の個数は、上記実施形態の個数に限られるものでなく、いくつであってもよい。
【０１２４】
さらに、上記実施形態の貨幣入出金機１では、カセット１８０毎およびスタッカ２００毎に一時保留部１９０、２１０が設けられた。しかしながら、貨幣入出金機１は、カセット１８０毎およびスタッカ２００毎に一時保留部１９０、２１０が設けられる構成ではく、一つの一括一時保留部が設けられる構成とされてもよい。
【０１２５】
さらに、上記実施形態において、搬送される紙幣は、その長手方向（左右方向）が搬送方向を向くようにして搬送部１４０により搬送されるようにしてもよい。この場合であっても、紙幣の天地、左右を反転させることにより、方向パターンを揃えることが可能となる。
【０１２６】
さらに、本発明が紙幣処理装置は、上記実施形態に挙げた貨幣入出金機１に限られるものではない。たとえば、本発明の紙幣処理装置は、バラ紙幣の入出金処理を行うバラ硬貨処理ユニットとバラ紙幣を帯封で結束して束紙幣を生成する束紙幣処理ユニットとからなる紙幣処理機であってもよい。
【０１２７】
この他、本発明の実施形態は、特許請求の範囲に記載の範囲で適宜変更可能である。
【符号の説明】
【０１２８】
１  貨幣入出金機（紙幣処理装置）
１３  制御部
１１０  入金部
１２０  出金部
１４０  搬送部
１５０  識別部
１６０  第１紙幣揃え部（出金紙幣揃え部）
１７０  第２紙幣揃え部（収納紙幣揃え部）
１８０  カセット（収納部）
１８１  第１カセット（収納部）
１８２  第２カセット（収納部）
２００  スタッカ（収納部）
Ｍ  紙幣揃え部
【図１】
0006680602.tif 000002
【図２】
0006680602.tif 000003
【図３】
0006680602.tif 000004
【図４】
0006680602.tif 000005
【図５】
0006680602.tif 000006
【図６】
0006680602.tif 000007
【図７】
0006680602.tif 000008
【図８】
0006680602.tif 000009
【図９】
0006680602.tif 000010
【図１０】
0006680602.tif 000011
【図１１】
0006680602.tif 000012
【図１２】
0006680602.tif 000013
【図１３】
0006680602.tif 000014
【図１４】
0006680602.tif 000015
【図１５】
0006680602.tif 000016
【図１６】
0006680602.tif 000017
【図１７】
0006680602.tif 000018
【図１８】
0006680602.tif 000019
【図１９】
0006680602.tif 000020
【図２０】
0006680602.tif 000021
【図２１】
0006680602.tif 000022